(57)【特許請求の範囲】
【請求項１】
互いに着脱可能な第１の係止部を両端に有する帯状の本体部と、前記本体部の一方の面に固着させた帯状の補助部とを有し、
前記補助部が、裏面側で前記本体部に固着した本体固着部と、前記本体固着部に連なり前記本体部に固着していない自由端部とを有し、前記自由端部を他端側に折り返して互いに着脱可能な第２の係止部を表面側に有することを特徴とするリード補助具。
【請求項２】
前記第２の係止部が面ファスナであることを特徴とする請求項１記載のリード補助具。
【請求項３】
前記補助部の表面側全体が第２の係止部であることを特徴とする請求項１又は請求項２記載のリード補助具。
【請求項４】
前記第１の係止部が樹脂製バックルであることを特徴とする請求項１から請求項３のいずれかに記載のリード補助具。
【請求項５】
前記本体部と前記補助部が共に布帛であることを特徴とする請求項１から請求項４のいずれかに記載のリード補助具。
【請求項６】
前記本体部に長さを調整する調整部を有することを特徴とする請求項１から請求項５のいずれかに記載のリード補助具。
【発明の詳細な説明】
【技術分野】
【０００１】
本発明は、犬などの小動物の散歩等に用いるリードに装着するリード補助具に関し、特にリードを柱などに固定するのに適するリード補助具に関する。
【背景技術】
【０００２】
リードは、一般に、一端が小動物等の体に取り付けた首輪又はハーネス等に接続する接続部、一端が輪部やＴ字部などの持手部となっている、ひも状又は鎖状の帯で、長さが可変のものや首輪等と一体のものもある。小動物の散歩等の際に、人間が持手部をつかんでおけば、リードでつないだ小動物をリード長さの範囲内で自由にさせることができる。
【０００３】
リードをつけて散歩中に、例えば、カフェなどで食事をする際、リードを、席から見えるところにあるポール等に固定して、繋ぎ止めた犬から目を離さないようにしながらつつ、人間がリードを離す場合がある。また、車に小動物を乗せる場合、リードを車の座席の一部に固定する場合がある。ポールや車の座席等に固定するために、リード自体が係留機能を有するものがある（例えば、特許文献１、２参照）。また、一端が、リードの接続部に結合する、開閉部を有する環状の第１の係止部材となっており、他端が、リードの途中を挿通する挿通部材を備えた、開閉部を有する環状の第２の係止部材となっている、可撓性紐体で、リードの持手部側を係留対象物に巻回した後に第２の係止部材を持手部に係止するリード補助具が知られている（例えば、特許文献３参照）。
【０００４】
特許文献３のリード補助具においては、小動物を可動させたい範囲によって、いろいろな可撓性紐体から所望の長さの可撓性紐体を選んで使用する。
【先行技術文献】
【特許文献】
【０００５】
【特許文献１】特開２００５−２７８５１４号公報
【特許文献２】特開２００３−１８９７５２号公報
【特許文献３】特開２００２−２０４６２８号公報
【発明の概要】
【発明が解決しようとする課題】
【０００６】
特許文献１や特許文献２のようなリードを購入し直せば係留が簡単にできるが、現在のリードをそのまま利用することができず、リード自体を買い直すのにコストがかかり、また係留以外の機能やデザインを自由に選べないという問題があった。
【０００７】
特許文献３のような従来のリード補助具では、係留する際に、まずリードの首輪側の接続部を外して挿通部材をリードに通し、それから接続部、持手部と、順次環を取り付ける必要があり、しかも、取り付けられるリードが挿通部材より細いものに限定され、持手部も環に通せる細いものに限定されるという問題があった。さらに、散歩等するのにリード補助具を別に持たなければならず、稼働させたい範囲によって複数本持つ必要があり、煩わしく、また荷物になり、不便であるという問題があった。
【０００８】
本発明は従来の上記実情に鑑みてなされたものであり、従って本発明は、様々なリードに取り付けて簡便に利用でき、係留作業が簡単で、太さが様々な物に係留でき、しかもコンパクトで、使用時以外もリードに取り付けたままで邪魔にならないリード補助具を提供することを目的とする。
【課題を解決するための手段】
【０００９】
本発明の第１の態様は、互いに着脱可能な第１の係止部を両端に有する帯状の本体部と、前記本体部の一方の面に固着させた帯状の補助部とを有し、
前記補助部が、裏面側で前記本体部に固着した本体固着部と、前記本体固着部に連なり前記本体部に固着していない自由端部とを有し、前記自由端部を他端側に折り返して互いに着脱可能な第２の係止部を表面側に有することを特徴とするリード補助具を提供する。
【００１０】
前記第２の係止部が面ファスナであることが好ましい。
【００１１】
さらに、前記補助部の表面側全体が第２の係止部であることが好ましい。
【００１２】
前記第１の係止部が樹脂製バックルであることが好ましい。また、前記本体部と前記補助部が共に布帛であることが好ましい。
【００１３】
前記本体部に長さを調整する調整部を有することが好ましい。
【発明の効果】
【００１４】
本発明のリード補助具によれば、様々なリードに取り付けて簡便に利用でき、係留作業が簡単で、太さが様々な物に係留でき、しかもコンパクトで、使用時以外もリードに取り付けたままで邪魔にならない。
【００１５】
詳細には、本発明のリード補助具によれば、補助部の表面側にリードの一部（例えば、リードの持手部の輪やリードの本体部）を挟んで自由端部を折り返して第２の係止部により他端側に固定できるので、係留しないときはリードに付けたままにしておくことができる。係留する際には、リード補助具の本体部をリードの他の一部（例えば、第２の係止部で持手部の輪に固定した場合はリードの本体部、第２の係止部でリードの本体部に固定した場合は持手部の輪）に通して第１の係止部によって容易に固定できるのでワンタッチで係留作業が完了する。さらに、リードの挟んだ部分から持手部までの距離を自由に調整できるので、柱等の係留物の太さ・大きさやリードを可動させたい長さによらず１本で済む。第２の係止部をリードの持手部の輪に固定することもできる。第２の係止部をリードの持手部の輪に固定した場合は、係留物への巻き付け回数で調節できるので、係留時には、適度に巻き付けて第１の係止部で止めるだけ取り付けが完了し、非常に簡便である。さらに外す時も第１の係止部のみ外せばよいのでワンタッチで取り外せる。リード補助具をリードに第２の係止部で取り付けたまま、リードに巻き付けて第１の係止部で固定できるので、使わないときはコンパクトな状態にでき、邪魔にならないし、散歩時等にリード補助具を忘れることを防止できる。さらに、係留物が持手部の長さより細くても、係留物に直接リード補助具の本体部を巻き付けて第１の係止部により固定できるので、車の座席の首部の支柱の１本だけでも無理なく取り付けることができ、利便性に富む。
【図面の簡単な説明】
【００１６】
【図１】本発明の実施例１のリード補助具の全体図である。
【図２】本発明の実施例１のリード補助具の補助部構成の説明図である。
【図３】本発明の実施例１のリード補助具のリード挟持手順の説明図である。
【図４】本発明の実施例１のリード補助具のリード挟持完了状態の説明図である。
【図５】本発明の実施例１のリード補助具をリードに巻き付けた状態の説明図である。
【図６】本発明の実施例１のリード補助具を用いた第１の係留方法の説明図である。
【図７】本発明の実施例１のリード補助具を用いた第２の係留方法の説明図である。
【図８】本発明の実施例１のリード補助具を用いた第３の係留方法の説明図である。
【発明を実施するための形態】
【００１７】
以下、本発明のリード補助具の好ましい実施形態について、実施例を用いて具体的に説明する。
【実施例１】
【００１８】
｛構成｝
図１は、本発明の実施例１のリード補助具の全体図である。本発明の実施例１のリード補助具１は、本体部２と補助部３を有する。本体部２の一端は第１の係止部プラグ側２１１であり、本体部２の他端は第１の係止部ソケット側２１２であり、第１の係止部プラグ側２１１には帯状の布帛である本体帯部２２の一端が縫い付けて固着してあり、本体帯部２２の他端が第１の係止部ソケット側２１２に縫い付けて固着してある。図１は、本体部２の裏面側を上にした状態を示す。本体部２の裏面側には、帯状の補助部３が縫い付けて固着してある。第１の係止部プラグ側２１１と第１の係止部ソケット側２１２とは、対になって、一組の係止部、第１の係止部２１を形成しており、第１の係止部プラグ側２１１と第１の係止部ソケット側２１２とは容易に着脱できる。実施例１では、第１の係止部２１は樹脂製のバックルである。
【００１９】
補助部３は、本体固着部３１と自由端部３２を有する。本体固着部３１は、その裏面側が本体部２の本体帯部２２の裏面側に縫い付けて固着してある。自由端部３２は、本体固着部３１に連なっているが、本体部２には固着されていない。本発明の実施例１では、図１に示したように、補助部３の約半分が本体部２に固定された本体固着部３１であり、残り半分が、本体部２と接続されていない自由端部３２となっている。補助部３の表面側は、リードを挟んで固定するための第２の係止部３３となっている。第２の係止部３３は、同じ平面上に並んで設けた第２の係止部フック面３３１と第２の係止部ループ面３３２で形成される。
【００２０】
なお、変形例として、第２の係止部３３は、フック部分とループ部分が同じ面の中で互いにライン状等に並べられたフック・ループ共通面で形成されてもよい。かかる構成では、自由端部３２のどこで曲げてもよく、フック面とループ面とを別々に設ける必要がないので、製作工程が減り、コストも削減できる。フック・ループ共通面においてフック部分の高さがループ部分の高さより低い面ファスナでは、他の物に誤ってフック部分が引っかかる恐れも軽減される。
【００２１】
図２は、本発明の実施例１のリード補助具の補助部構成の説明図である。図２は、補助部３の表面側を上側にした拡大図である。第１の係止部プラグ側２１１に接続された本体部２の裏面側に補助部３が設けられており、本体部２の裏面側に固着された補助部３の部分が本体固着部３１である。実施例１では、補助部３は、本体帯部２２の端付近から中央部に向かって設けられており、本体帯部２２の端付近の方が本体固着部３１、本体帯部２２の中央部付近の方が自由端部３２となっている。実施例１では、面ファスナのループ面とフック面とが連続してあり表面側全体で第２の係止部を形成している。図２では、実施例１では、表面側で、自由端部３２の方が第２の係止部フック面３３１となっており、本体帯部２２の端付近の方が第２の係止部ループ面３３２となっており、第２の係止部フック面３３１と第２の係止部ループ面３３２は繋がっている。自由端部３２側を表面側で他端側に折り返すと、フック面とループ面が噛み合って互いに着脱可能に係止めできる。すなわち、第２の係止部フック面３３１と第２の係止部ループ面３３２とは、対になって、一組の係止部、第２の係止部３３を形成する。実施例１では他端まで本体固着部３１となっており、係止された部分は本体部２と一体となって安定する。
【００２２】
上述した変形例では、補助部３の表面側が面ファスナのフック・ループ共通面で形成され、表面側全体で第２の係止部を形成している。自由端部３２側を表面側で他端側に折り返すと、フック・ループ共通面同士で接触し、フック部分とループ部分が噛み合って互いに着脱可能に係止めできる。すなわち、第２の係止部はどこで折り曲げても、一組の係止部、第２の係止部３３を形成する。他の点は実施例１と同様で、他端まで本体固着部３１となっており、係止された部分は本体部２と一体となって安定する。
【００２３】
｛使用方法｝
図３は、本発明の実施例１のリード補助具のリード挟持手順の説明図である。補助部３の表面側中央付近にリード４を、リード４とリード補助具１とをほぼ直交するように置く。リード４は綱の他、鎖やベルト・細紐等でもよい。係留したい柱等の太さに応じ、リード４のどの部分にリード補助具１を取り付けるかを自由に調整できる。
【００２４】
図４は、本発明の実施例１のリード補助具のリード挟持完了状態の説明図である。図３の状態から、自由端部３２を他端側に折り返し、自由端部３２の表面側にある第２の係止部フック面３３１と他端側の表面側にある第２の係止部ループ面３３２とを貼り合わせる。リード４は、第２の係止部の面ファスナでリード補助具１に固定される。
【００２５】
図５は、本発明の実施例１のリード補助具をリードに巻き付けた状態の説明図である。係留しない通常時には、図４の状態から、リード補助具１をリード４に巻き付けて、第１の係止部ソケット側２１２に第１の係止部プラグ側２１１を挿入して一体となった第１の係止部２１となる。コンパクトな状態でリード４に固定できる。
【００２６】
図６は、本発明の実施例１のリード補助具を用いた第１の係留方法の説明図である。図４の状態から、係留物５にリード４の持手部４１側を巻回して、リード補助具１の本体部２の一端をリードの持手部４１の輪部分に通して、第１の係止部プラグ側２１１と第１の係止部ソケット側２１２とを接続して一体の第１の係止部２１とすることによって固定する。容易に固定できるのでワンタッチで係留作業が完了する。リード補助具１をリード４のどこに固定するか調整できるので、係留物５の太さに応じて、あるいはリード４を可動させたい範囲の大きさに応じて、自由に調整ができる。
【００２７】
図７は、本発明の実施例１のリード補助具を用いた第２の係留方法の説明図である。図４の状態から、係留物にリード補助具１を巻き付けて第１の係止部プラグ側２１１と第１の係止部ソケット側２１２とを接続して一体の第１の係止部２１とすることによって固定する。容易に固定できるのでワンタッチで係留作業が完了する。リードの持手部４１の長さ分より係留物５が細いと、図６の方法では、たるみ部分が大きくなってしまうが、実施例１ではリード補助具１の本体部２の長さで止めることもできるため、係留物５が細くても、無駄なスペースを取らずにスマートに固定できる。
【００２８】
リード補助具１をリード４の本体部分に取り付ける方法のほか、リード補助具１をリード４の持手部４１部分に取り付けてもよい。図８は、本発明の実施例１のリード補助具を用いた第３の係留方法の説明図である。リード４の持手部４１は、第２の係止部の面ファスナでリード補助具１に固定される。係留物に固定する場合には、係留物５にリード４の持手部４１側を巻回して、リード補助具１の本体部２の一端をリードの本体部分（持手部でない部分）に通して、第１の係止部プラグ側２１１と第１の係止部ソケット側２１２とを接続して一体の第１の係止部２１とすることによって固定する。容易に固定できるのでワンタッチで係留作業が完了する。係留物５へのリード４の巻き付け数を調整することで、係留物５の太さに応じて、あるいはリード４を可動させたい範囲の大きさに応じて、自由に調整ができる。
【００２９】
実施例１では、本体部２と補助部３、第１の係止部と本体帯部２２等の固着には縫付を行っているが、接着剤等、他の手段で固定しても良い。
【００３０】
実施例１では本体帯部２２の長さは１８ｃｍ程度であるが、係留に使用したりリードに軽く巻き付けて保持するのに扱いやすい長さであればよく、これに限定されない。
【００３１】
実施例１では、補助部３の約半分が本体部２に固定された本体固着部３１であり、残り半分が、本体部２と接続されていない自由端部３２となっているが、本体固着部３１が中央部で、自由端部３２と反対側の端部も本体部２と接続されていない自由端となっていてもよい。
【００３２】
実施例１では、補助部３の表面側全体で第２の係止部３が形成され、第２の係止部フック面３３１と第２の係止部ループ面３３２は繋がっているため、リード４の太さによらずリード補助具１にリード４を堅固に固定できるが、第２の係止部３が表面全面に限らず、フック面とループ面との間に係止手段のない帯部分があってもよい。
【００３３】
実施例１では、本体部２は帯状の本体帯部２２を有するが、本体帯部２２の一部に、本体帯部２２の長さを調整する調整部を設けてもよい。これにより、係留できる太さのバリエーションが広くなり、また、微調整がしやすくなる。
【００３４】
実施例１では、第２の係止部は、面ファスナであるため作業が簡単で利便性に富み、布製のリード等では滑りを防止することもできるが、着脱可能であれば、ボタンとボタンホールのペアのように、他の係止手段であってもよい。
【００３５】
実施例１では、第１の係止部２１は樹脂製のバックルであり、本体帯部２２も補助部３も布帛で柔らかいので、係留物や車等にぶつけても係留物等を傷つける心配が少ない。本体帯部２２や補助部３は、柔軟性と強度があれば、布帛に限らず、不織布や柔らかいプラスチック帯や平ゴム等であってもよく、第１の係止部２１は、面ファスナ等、他の係止手段であっても良く、また、傷つける心配がなく高い強度を必要とする場合は、金属製の連結具であってもよい。例えば、第１の係止部が金属製のレバーナスカンや鉄砲ナスカン等であってもよい。第１の係止部の一方が金属製のナスカンである場合は、他方が金属製のＤカンであってもよい。
【００３６】
｛効果｝
本発明の実施例１のリード補助具によれば、様々なリードに取り付けて簡便に利用でき、係留作業が簡単で、太さが様々な物に係留でき、しかもコンパクトで、使用時以外もリードに取り付けたままで邪魔にならない。
【００３７】
本実施例のリード補助具１は、補助部３の表面側にリード４の一部（例えば、リードの持手部の輪やリードの本体部）を挟んで自由端部３２を折り返して第２の係止部３３により他端側に固定できるので、係留しないときはリード４に付けたままにしておくことができる。係留する際には、リード補助具１の本体部２をリード４の他の一部（例えば、第２の係止部で持手部の輪に固定した場合はリードの本体部、第２の係止部でリードの本体部に固定した場合は持手部の輪）に通して第１の係止部２１によって容易に固定できるのでワンタッチで係留作業が完了する。
【００３８】
さらに、リード４の挟んだ部分から持手部４１までの距離を自由に調整できるので、柱等の係留物５の太さ・大きさやリードを可動させたい長さによらず１本で済む。
【００３９】
第２の係止部をリードの持手部の輪に固定することもできる。第２の係止部をリードの持手部の輪に固定した場合は、係留物への巻き付け回数で調節できるので、係留時には、適度に巻き付けて第１の係止部で止めるだけ取り付けが完了し、非常に簡便である。
【００４０】
さらに外す時も第１の係止部２１のみ外せばよいのでワンタッチで取り外せる。リード補助具１をリード４に第２の係止部３３で取り付けたまま、リード４に巻き付けて第１の係止部２１で固定できるので、使わないときはコンパクトな状態にでき、邪魔にならないし、散歩時等にリード補助具１を忘れることを防止できる。
【００４１】
さらに、係留物５が持手部４１の長さより細くても、係留物５に直接リード補助具の本体部２を巻き付けて第１の係止部２１により固定できるので、車の座席の首部の支柱の１本だけでも無理なく取り付けることができ、利便性に富む。
【００４２】
また、リード４は、綱でも帯状でもチェーンでも、形態を問わず、また、リードに係留手段があるかを問わず利用できる。また、持手部がプラスチック製等であっても第１の係止部２１で固定することができ、またさらに、Ｔ字型の持手部であってもネック部分に一巻きして利用することができる。
【００４３】
なお、本発明は、上記実施の形態に限定されず、その発明の趣旨を逸脱しない範囲で種々と変形実施が可能である。また、上記実施の形態の構成要素を発明の趣旨を逸脱しない範囲で任意に組み合わせることができる。
【符号の説明】
【００４４】
１      リード補助具
２      本体部
２１    第１の係止部
２１１  第１の係止部プラグ側
２１２  第１の係止部ソケット側
２２    本体帯部
３      補助部
３１    本体固着部
３２    自由端部
３３    第２の係止部
３３１  第２の係止部フック面
３３２  第２の係止部ループ面
４      リード
４１    持手部
５      係留物
【図８】
0005704758.tif 000002
【図１】
0005704758.tif 000003
【図２】
0005704758.tif 000004
【図３】
0005704758.tif 000005
【図４】
0005704758.tif 000006
【図５】
0005704758.tif 000007
【図６】
0005704758.tif 000008
【図７】
0005704758.tif 000009